(57)【要約】      （修正有）【課題】  嵩張らず、衛生的で、かつ各種フィルタを使用できるマスクカバーの提供【解決手段】  口を覆うための第１面部（１）と第２面部（２）とに多数の通気孔部（１０）を穿設するとともに、略偏平となる収納位置まで二つ折り可能にしたカバーにおいて、前記カバーと接続され、前記カバー内にフィルタ媒体（２００）を着脱可能に支持する支持部（７、８）を設ける。【効果】二つ折りに畳めることから嵩張らず、しかも口に向かうフィルタ面が露出しないので衛生的であり、用途によりフィルタを使用でき、フィルタの交換も簡単である。【選択図】  図２
2005304635.tif 000002
【特許請求の範囲】
【請求項１】
折り畳み可能に構成されたカバーと、
前記カバーと接続され、前記カバー内にフィルタ媒体を着脱可能に支持する支持部と、を備えることを特徴とするマスクカバー。
【請求項２】
前記カバーは、通気孔を有することを特徴とする請求項１に記載のマスクカバー。
【請求項３】
前記支持部は通気孔を有し、前記カバーが折り畳まれた場合に該折り畳まれたカバー内に包含されることを特徴とする請求項１または２に記載のマスクカバー。
【請求項４】
前記カバーは、前記マスクカバーの装着者の顔面との隙間を埋め、前記カバーに対し前記支持部と同一の側に織り込み可能な部材を備えることを特徴とする請求項１乃至３のいずれかに記載のマスクカバー。
【発明の詳細な説明】
【技術分野】
【０００１】
本発明は、煤塵などを濾過するフィルタを交換可能にして使用することのできるマスクカバーに関するものである。
【背景技術】
【０００２】
風邪の罹患予防や防塵のため、あるいは花粉などのアレノレギー対策等のために口及び鼻を覆うための種々のマスクが実用化されている。この布タイプのマスクは、顔面とマスクの間に隙間ができる欠点があるが、安価かつカーゼなどを縫製して簡単に作れるので古くから多く普及している。
【０００３】
また、不織布等の柔軟材料を平面、或いは立体的に形成し、マスク材料である不織布自体が濾過機能を有するタイプのマスクも実用化されている。
【０００４】
一方、樹脂材料等を用いて顔面の形状へ適合するカップ形状に形成したカップタイプのマスクカバーが、埃の多い建設現場や加工作業現場でより気密性を高める目的で使用されている。具体的には、このカップタイプのマスクカバーによれば顔面にあたる部分にゴム、スポンジ素材を用いて密着性と装着感の向上を図っている。
【０００５】
このマスクカバーを酸素吸入等に用いる場合には、酸素ボンベに接続される給気管がさらに接続されることになる。また、防塵、防毒マスク等にマスクカバーを用いる場合には、例えば化学汚染物質除去機能または煤塵の濾過機能を備える濾過フィルタがマスクカバーに着脱自在に設けられることになる。
【０００６】
また、最近において平坦折り畳み可能なマスクが実用化されている。この平坦折り畳み可能なマスクによれば、第１面部と第２面部とを山折り線を介して平坦に折り畳み可能に形成する一方で、第１面部の上下端部から一方の耳掛け部を一体形成し、第２面部の上下端部から他方の耳掛け部を一体形成し、さらに第１面部と第２面部とを使用状態に広げることで気密性を高めて鼻と口と顎を全体的に覆うことができる構成を備えている。この構成により、未使用時に二つ折りにしてポケットなどに入れて持ち運び可能にでき、さらに全体を不織布と濾過繊維を組み合わせて構成することで、耳に触れる耳掛け部分と口と鼻を覆う部分がやさしく肌に触れるようにしている。（特許文献１）
【特許文献１】特表２００２−５３７００９号公報
【発明の開示】
【発明が解決しようとする課題】
【０００７】
しかしながら、上記のカップタイプのマスクカバーによれば、顔面の形状へ適合するカップ形状となるように立体的に成型されることから密着性に富むが、未使用時において嵩張るのでポケットなどに入れて持ち歩くには不便となる欠点がある。また、上記のカップタイプのマスクカバーによればフィルタは交換自在になるが、口に向かうフィルタ面は露出するので不衛生となる問題がある。
【０００８】
また、上記公報によるマスクによれば、未使用時に二つ折りに畳めるので、口に向かうフィルタ面を露出させない状態でポケットなどに入れて持ち運ぶことができ便利であるが、マスク全体を不織布と濾過繊維を組み合わせて構成した所謂使い捨てタイプのマスクである。このため、例えば花粉症の人が１日着用した後には廃棄処分されるので不経済となる問題がある。また、用途別の各種フィルタを任意に装着して使用することはできないものである。
【０００９】
したがって、本発明は上記の問題点に鑑みて成されたものであり、二つ折りに畳めることから嵩張らず、かつ口に向かうフィルタ面が露出しないので衛生的であり、かつまた用途別の各種フィルタを任意に使用できるマスクカバーの提供を目的としている。
【課題を解決するための手段】
【００１０】
上述した課題を解決する本発明は、折り畳み可能に構成されたカバーと、前記カバーと接続され、前記カバー内にフィルタ媒体を着脱可能に支持する支持部とを備えることを特徴とする。
【発明の効果】
【００１１】
本発明によれば、使用時に顔への密着性に優れ、未使用時において二つ折りに畳めることから嵩張らず、しかも口に向かうフィルタ面が露出しないので衛生的であり、かつまた用途別の各種フィルタを使用できるマスクカバーを提供することができる。
【発明を実施するための最良の形態】
【００１２】
以下に本発明の好適な一実施形態について、添付図面を参照して説明する。
【００１３】
図１（ａ）は、本発明の一実施形態のマスクカバー５０に係る正面図であり、図１（ｂ）はマスクカバー５０を裏返した裏面の正面図であり、図１（ｃ）はマスクカバーの平面図である。本図において、マスクカバー５０は標準サイズのものであり、二つ折りに折り畳まれた収納位置にされた状態が示されており、この状態では破線図示の耳かけゴムバンド１００のみが外側に出た略台形形状となっている。このためこの状態でブリスターパックして店頭販売でき、占有面積をとらず販売できる一方で、使用者はこの二つ折りにされた状態で胸ポケットなどに嵩張ることなく収容できる。なお、以下の説明では各折り線について折り紙で使用されている「山折り線」と「谷折り線」として述べる。
【００１４】
第１谷折り線１２に沿う寸法Ｌ１は約７５ｍｍ、第７山折り線２８に沿う寸法Ｌ２は約６０ｍｍ、第３山折り線２４と、第５山折り線２６に沿う寸法Ｌ３は約７０ｍｍであり、上記の各寸法を有するように第１面部１と第２面部２が第１谷折り線１２に沿って二つ折りできるように一体形成されている。
【００１５】
また、図示のように収納位置まで二つ折りされるときに、後述するように鼻を覆うための第３面部３と第４面部４と、顎を覆うための第５面部５と第６面部６は各山折り線２４、２６と各山折り線１３、１５に沿うようにして第１面部１と第２面部２の内側に折り畳まれるように構成されている。
【００１６】
次に、図２は図１のマスクカバー５０を展開した様子を示した正面図であって、マスクカバー５０を広げ、着用時の正面視の様子が図示されている。本図において、第１面部１は着用者の口から口の左側周辺を覆うとともに、多数の通気孔部１０を穿設している。この第１面部１は、口の右側周辺を覆うとともに、多数の通気孔部１０を穿設した第２面部２と上記の第１谷折り線１２を介して一体形成されており、上記のように略偏平となる収納位置まで二つ折りできるようにしている。
【００１７】
また、鼻の左側周辺を覆う第３面部３は第１面部１の上縁部から第２山折り線１３を介して一体形成されており、さらに鼻の右側周辺を覆う第４面部４が上記の第２面部２の上縁部から第３谷折り線２４を介して一体形成されている。さらに、第３面部３の右縁部と第４面部４の左縁部とが第１谷折り線３４を介して一体形成されている。
【００１８】
さらに、鼻の頂点付近から頬にかけて覆うための鼻形状部１６は、この第１谷折り線３４の終端を始点として第３面部３の右縁部と第４面部４の左縁部とから、頬に当接する頬当接部３ａ、４ａが寸法Ｌ４である約３０ｍｍを隔てて連続形成されている。
【００１９】
さらに着用時の正面視で、顎の左側周辺を覆う第５面部５は、第１面部１の下縁部から第４山折り線１５を介して一体形成されており、また顎の右側周辺を覆うための第６面部６は、第２面部２の下縁部から山折り線２６を介して一体形成されている。
【００２０】
またさらに、第５面部５の右縁部と第６面部６の左縁部とは第２谷折り線５６を介して一体形成されている。また、第５面部５と第６面部６からは顎先端部付近を覆う形状の突起部５ａ、６ａを第７折り線５６に沿うように図示のように延設することで密着性をさらに向上させても良い。
【００２１】
また、後述するようにフィルタ媒体の左半分の全体または一部を第１面部１の裏面側で保持するために第１面部１の左縁部から山折り線１７を介して一体形成されるとともに多数の通気孔部１１を穿設した第７面部７が一体形成されている。さらに、フィルタ媒体の右半分の全体または一部を第２面部２の裏面側で保持するために多数の通気孔部１１を穿設した第８面部８が第２面部２の右縁部から山折り線２８を介して一体形成されている。さらに、第１面部１と第２面部２を図１で図示した収納位置に保持するためのフック部材３００（破線図示）と係止部３０１を形成しても良い。
【００２２】
図３（ａ）〜（ｃ）は、図１（ｃ）に示した状態からマスクカバーを図４の使用状態にする途中過程を示した外観斜視図である。また、図４は、マスクカバーを使用状態にした後に、裏面側から見た背面図である。図３と図４において、既に説明済みの構成部品については同様の符号を附して説明を割愛する。
【００２３】
先ず、図３(ａ)において、支持部となる第７面部７と第８面部８については第１面部１と第２面部の裏側に当接する状態で１８０度折り曲げられている。また、第３面部３と第４面部４は上記の山折り線１３、２４と第１谷折り線３４を介して内側に自然に折れ曲がるくせがつけられている。同様に第５面部５と第６面部６とは上記の山折り線１５、２６と第２谷折り線５６を介して内側に自然に折れ曲がるくせがつけられている。
【００２４】
図３(ａ)に図示の収納位置から図示のように両端を把持して広げると、第１谷折り線３４を介して内側に位置していた第３面部３と第４面部４とが次第に起き上がることで図３(ｂ)に図示の状態になる。このとき第２谷折り線５６を介して内側に位置していた第５面部５と第６面部６も同時に起き上がる。このとき、第３面部３の右縁部と第４面部４の左縁部との間の間隔Ｋが約５〜１０ｍｍとなる端部１６ａ、１６ａを形成した鼻形状部１６が表れる。端部１６ａ、１６ａは図示のように下方に湾曲した頬当接部３ａ、４ａにかけて次第に広がる凸状曲面部３ｈ、４ｈへ連続形成されている。すなわち、第３面部３と第４面部４の各頬当接部３ａ、４ａは、凸状に口側に向けて湾曲形成されることで密着性を良くしている。
【００２５】
図３(ｂ)の状態からさらに使用状態まで開くことで図３(ｃ)に示すように第１面部１と第２面部２の表面との間でなす角度θが約９０度から１２０度の範囲になる状態にする。この状態から第７面部７と第８面部８を開き起こして耳ゴム輪１００を山折り線１７、２８の内側にセットし、さらにフィルター２００をセットし、第７面部７と第８面部８を閉じることで使用可能な状態となる。
【００２６】
以上で図４に図示したようにマスクカバーが使用可能な状態になる。ここで、図４において、第６面部６の全長寸法Ｌ５は耳ゴム輪１００を保持することができフィルタ２００を所定位置に不動状態に保持できるのであれば、図示のように約半分以下でも良く、また多数の孔部１１に代えて大きな開口孔部７ａを穿設しても良い。
【００２７】
図５（ａ）は、マスクカバー５０を装着者が着用した様子を示す正面図、（ｂ）は（ａ）のＸ−Ｘ線矢視断面図である。本図において、既に説明済みの構成部品については同様の符号を附して説明を割愛すると、耳ゴム輪１００、１００を両耳にかけることで張力によりマスクカバー５０が両側に引っ張られることにより、マスクカバー５０が適度に変形してマスクカバー周辺と顔面との適合性、密着性が確保されることになり、口、鼻の呼吸気がマスクカバーに内蔵のフィルタ２００を確実に通過するようにできる。ここで、図中の破線で示したクッション材４００を密着部位にさらに敷設することで肌当たりがやさしくなるようにしても良いが、通常使用では密着性が充分に確保されることとなる。また、アジア人種系の人種は図３(ｃ)に示した角度θが１２０度前後となることで顔への全体的な密着を図ることができる一方、アングロサクソン系の人種は、顔が上下に細長く鼻が高いことから角度θが９０度前後となることで顔への全体的な密着性を自動的に図ることができるようになる。
【００２８】
次に、図６(ａ)は、本発明の別実施形態のマスクカバー５０に係る正面図、（ｂ）はマスクカバー５０を裏返した裏面の正面図である。本図において、既に説明済みの構成部品については同様の符号を附して説明を割愛すると、異なる構成として図示のような収納位置にしたときに、第３面部３と第４面部４とが外部に出るように折り曲げられる。同様に第５面部５と第６面部６についても外部に出るように折り曲げられる。
【００２９】
このようにして折り畳んだ場合には上記よりも占有面積が大きくなるがフィルタは外部に触れることなく衛生的に保護できることとなる。さらに第１面部１と第２面部２に子供の喜びそうなキャラクタＨを印刷するようにして、着用を嫌がる子供が進んで着用できるようにしても良い。
【００３０】
最後に、図７(ａ)は、別実施形態のマスクカバー５０を使用状態にした様子を示す外観斜視図、（ｂ）は(ａ)のＸ-Ｘ線矢視断面図、（ｃ）はマスクカバー５０を収納位置にした様子を示す外観斜視図である。
【００３１】
本図において、既に説明済みの構成部品については同様の符号を附して説明を割愛すると、多数の通気孔部１０を穿設した第１面部１と、口の右側周辺を覆うとともに多数の通気孔部１０を穿設した第２面部２には厚手のフィルター２００を着脱自在にするための容積部が形成されている。すなわち山折り線１２２からは高さが１０ｍｍ前後の左右壁面１ｐ、２ｐが形成される一方で図示のように左右縁部にかけて曲面として形成されており、上下壁面１ｋ、２ｋ（下方側の壁面は不図示）が上記の折り線１３、２４まで形成されており容積部を形成しており、厚さ９ｍｍまでの厚手のフィルタ２００を装填可能にしている。
【００３２】
また、図７(ｂ)において第７面部７と第８面部８と、第１面部１と第２面部２との間で収容された分厚いフィルタ２００を収容するとともに、所定位置に保持するために係止部材８ｐ、７ｐが一体形成されており、各孔部１ｈ、２ｈに係止部材が押し入れられることでフィルタに孔開けが行われて図示のように保持できるように構成されている。
【００３３】
使用後にフィルタを交換するためには爪部７ｋ、８ｋを把持して引っ張り上げることで係止状態が解除される。
【００３４】
そして、図７(ｃ)に図示の収納位置にして持ち運ぶ。
【００３５】
尚、本発明は上記の構成に限定されず、例えば、樹脂等により形成された一定の剛性を有する部材を山折り線、または谷折り線で一体形成したが上記の多面体構造になるように連続形成できる構成であればこれに限定されない。
【００３６】
また、上記のように密着性に優れているのでサイズは大人用で対応できるが、子供用、女性用として準備しても良い。
【００３７】
このように、本発明のマスクカバーは、折り畳み可能に構成されたカバーと、カバーと接続されカバー内にフィルタ媒体を着脱可能に支持する支持部とで構成され、当該カバー及び支持部とが通気孔を有し、また、カバーが折り畳まれた場合に該折り畳まれたカバー内に支持部が包含されるものである。また、カバーは、マスクカバーの装着者の顔面との隙間を埋め、カバーに対し支持部と同一の側に織り込み可能な部材を備える。
【００３８】
以上のように、カップタイプのマスクと同等程度の顔面への密着性を確保するとともにコンパクト状に折りたたむことが可能であり、携帯を可能とし、携帯性を飛躍的に向上させることができる。このように密着性と携帯性の両立ができ、フィルタ交換が簡単であり、しかも多目的の用途に対応できることなる。
【００３９】
また、一体成型による製造が可能であり、水洗いなど洗浄によって清潔感を保持でき、さらには着色、描画が容易となる。また、使用材料は上記の各折り線の屈曲耐久性に優れかつ水洗いできるようなポリエチレン樹脂、ポリプロピレン樹脂、ポリスチレン樹脂、フッ素樹脂などの重合型プラスチック材料が一般的であるが、一部を合成紙、金属製、貴金属製、ダンボール製としたハイブリッド構成でも良い。さらに、耐水紙製として、展開した偏平状態で使用者に提供して、使用者が適宜組み立てるようにしても良い。
【００４０】
［その他の実施形態］
本発明のマスクカバーは、口を覆うための第１面部と第２面部とに多数の通気孔部を穿設するとともに、略偏平となる収納位置まで二つ折り可能にし、鼻を覆うための第３面部と第４面部とを、前記第１面部と前記第２面部とから連続形成し、顎を覆うための第５面部と第６面部とを、前記第１面部と前記第２面部とから連続形成し、フィルタ媒体を前記第１面部の裏面側で保持するとともに一方の耳かけ輪の保持部となる第７面部を、前記第１面部から連続形成し、前記フィルタ媒体を前記第２面部の裏面側で保持するとともに他方の耳かけ輪の保持部となる第８面部を、前記第２面部から連続形成し、前記第１面部と前記第２面部とが前記収納位置まで二つ折りされると、前記第３面部と前記第４面部とが前記収納位置の内側または外側に折り畳まれるとともに、前記第５面部と前記第６面部とが前記収納位置の内側または外側に折り畳まれる。
【００４１】
また、着用時の正面視で、口の左側周辺を覆うとともに多数の通気孔部を穿設した第１面部と、口の右側周辺を覆うとともに多数の通気孔部を穿設した第２面部とを上下方向の第１折り線に沿って略偏平の収納位置まで二つ折り可能にし、着用時の正面視で、鼻の左側周辺を覆う第３面部を、前記第１面部の上縁部から第２折り線を介して一体形成し、鼻の右側周辺を覆う第４面部を、前記第２面部の上縁部から第３折り線を介して一体形成し、さらに前記第３面部の右縁部と前記第４面部の左縁部を第４折り線を介して一体形成し、鼻の頂点付近から頬にかけて覆う鼻形状部を、前記第４折り線の終端を始点として前記第３面部の右縁部と、前記第４面部の左縁部とから頬に当接する頬当接部にかけて連続形成し、着用時の正面視で、顎の左側周辺を覆う第５面部を、前記第１面部の下縁部から第５折り線を介して一体形成し、顎の右側周辺を覆う第６面部を、前記第２面部の下縁部から第６折り線を介して一体形成し、さらに前記第５面部の右縁部と前記第６面部の左縁部を第７折り線を介して一体形成し、フィルタ媒体の左半分を前記第１面部の裏面側で保持する第７面部を、前記第１面部の左縁部から第８折り線を介して一体形成し、フィルタ媒体の右半分を前記第２面部の裏面側で保持する第８面部を、前記第２面部の右縁部から第９折り線を介して一体形成し、前記第１面部と前記第２面部が前記収納位置まで二つ折りされると、前記第３面部と前記第４面部とが前記収納位置の内側または外側に折り畳まれ、前記第５面部と前記第６面部とが前記収納位置の内側または外側に折り畳まれる。
【００４２】
更に、着用時の正面視で、口の左側周辺を覆うとともに多数の通気孔部を穿設した第１面部と、口の右側周辺を覆うとともに多数の通気孔部を穿設した第２面部とを上下方向の第１谷折り線に沿って略偏平となる収納位置まで二つ折り可能にし、着用時の正面視で、鼻の左側周辺を覆う第３面部を、前記第１面部の上縁部から第２山折り線を介して一体形成し、鼻の右側周辺を覆う第４面部を、前記第２面部の上縁部から第３山折り線を介して一体形成し、さらに、前記第３面部の右縁部と前記第４面部の左縁部を第１谷折り線を介して一体形成し、鼻の頂点付近から頬にかけて覆う鼻形状部を、前記第１谷折り線の終端を始点として前記第３面部の右縁部と前記第４面部の左縁部とから、頬に当接する頬当接部にかけて連続形成し、着用時の正面視で、顎の左側周辺を覆う第５面部を、前記第１面部の下縁部から第４山折り線を介して一体形成し、顎の右側周辺を覆う第６面部を、前記第２面部の下縁部から第５山折り線を介して一体形成し、さらに、前記第５面部の右縁部と前記第６面部の左縁部を第２谷折り線を介して一体形成し、フィルタ媒体の左半分を前記第１面部の裏面側で保持するために多数の通気孔部を穿設した第７面部を、前記第１面部の左縁部から第６山折り線を介して一体形成し、フィルタ媒体の右半分を前記第２面部の裏面側で保持するために多数の通気孔部を穿設した第８面部を、前記第２面部の右縁部から第７山折り線を介して一体形成し、前記第１面部と前記第２面部とが前記収納位置まで二つ折りされるときに、前記第３面部と前記第４面部とが前記収納位置の内側に折り畳まれ、前記第５面部と前記第６面部とが前記収納位置の内側に折り畳まれる。
【００４３】
また、前記鼻形状部は、前記第３面部の右縁部と前記第４面部の左縁部との間の間隔が約５〜１０ｍｍとなる形状部を隔ててから、前記頬当接部にかけて次第に広がる凸状曲面部へ連続形成される。
【００４４】
また、前記頬当接部は口側に向けて凸状に湾曲形成されることを特徴としている。
【００４５】
また、前記第５面部と前記第６面部とから顎の下方を覆う突起部を延設している。
【００４６】
また、前記第１面部と前記第２面部とを前記収納位置に保持するためのフック部材がさらに設けられている。
【００４７】
また、前記第７面部と前記第８面部と、前記第１面部と前記第２面部との間で分厚い前記フィルタ媒体を収容する容積部と、所定位置に保持するために前記第７面部と前記第８面部と、前記第１面部と前記第２面部との間に係止部材とが夫々設け等れている。
【００４８】
また、顔に当接する部分にクッション材をさらに敷設したことを特徴としている。
【００４９】
そして、前記第１面部と前記第２面部と、前記第３面部と前記第４面部と、前記第５面部と前記第６面部と、前記第７面部と前記第８面部とは、所定樹脂材料を用いて一体樹脂射出成型されるものである。
【産業上の利用可能性】
【００５０】
上記の通常使用の用途以外にも、火災事故発生時における煙吸い込み防止のために厚手の活性炭フィルタをフィルタとした防煙マスク用、有毒化学物質テロ対策用のために各種化学吸着、吸引物質を分散させたフィルタを設けた各種防毒マスク用、または酸素吸入用マスク用としても使用できる。また、スキー用、バイク用などの防寒具としても活用できることとなる。
【図面の簡単な説明】
【００５１】
【図１】（ａ）は、本発明の一実施形態のマスクカバー５０に係る正面図、（ｂ）はマスクカバー５０を裏返した裏面の正面図、（ｃ）はマスクカバーの平面図である。
【図２】は、マスクカバーを展開した様子を示した正面図である。
【図３】（ａ）〜（ｃ）は、図１（ｃ）に示した状態からマスクカバーを図３の使用状態にする過程を示した外観斜視図である。
【図４】は、マスクカバーを使用状態にした後に、裏面側から見た背面図である。
【図５】（ａ）は、マスクカバー５０を装着者が着用した様子を示す正面図、（ｂ）は（ａ）のＸ−Ｘ線矢視断面図である。
【図６】(ａ)は、本発明の別実施形態のマスクカバー５０に係る正面図、（ｂ）はマスクカバー５０を裏返した裏面の正面図である。
【図７】(ａ)は、別実施形態のマスクカバー５０を使用状態にした様子を示す外観斜視図、（ｂ）は(ａ)のＸ-Ｘ線矢視断面図、（ｃ）はマスクカバー５０を収納位置にした様子を示す外観斜視図である。
【符号の説明】
【００５２】
１  第１面部
２  第２面部
３  第３面部
４  第４面部
５  第５面部
６  第６面部
７  第７面部
８  第８面部
１０  通気孔部
１１  通気孔部
１２  山折り線（第１折り線）
１３  山折り線（第２折り線）
１５  山折り線（第５折り線）
１６  鼻形状部
２４  山折り線（第３折り線）
１７  山折り線（第８折り線）
２６  山折り線（第６折り線）
２８  山折り線（第９折り線）
３４  谷折り線（第４折り線）
５０  マスクカバー
５６  谷折り線（第７折り線）
１００  耳ゴム輪
２００  フィルター
【図１】
2005304635.tif 000003
【図２】
2005304635.tif 000004
【図３】
2005304635.tif 000005
【図４】
2005304635.tif 000006
【図５】
2005304635.tif 000007
【図６】
2005304635.tif 000008
【図７】
2005304635.tif 000009